(57)【要約】      （修正有）【課題】ジェット機が飛行中、後部圧力隔壁が、水平、尾翼の作動で、複雑な変形作用を受けても、破裂せず、安全に飛行できるようにする。【解決手段】後部圧力隔壁１は、外面カバーゴム２を半球状に形成し、該外面カバーゴムの内面に、ナイロン、ポリエステル等の高張力の糸を織った１枚又は複数枚の帆布３を貼り付け、該帆布の上から内面カバーゴム４を貼り付け、前端の全周は、内側に向けて凸周５を形成し、凸周の内側全周に、ボルト通し孔を同ピッチで開け、また、凸周の内側を押さえる短尺バネ座金を形成してボルト通し孔６を数箇所開け、後部圧力隔壁の下部にはＡＰＵ高圧空気ダクト８を形成して取り付け、而して、後部圧力隔壁を変形Ｔ型フレーム９に、短尺バネ座金７と丸バネ座金を介して高強度のボルトナット１０で取り付ける。【選択図】図２
2017206222.tif 000002
【特許請求の範囲】
【請求項１】
外面カバーゴムを半球状に形成し、該外面カバーゴムの内面に、ナイロン、ポリエステル等の高張力の糸を織った１枚又は複数枚の帆布を貼り付け、該帆布の上から内面カバーゴムを貼り付け、前端の全周は、内側に向けて凸周を形成し、凸周の内側全周に、ボルト通し孔を同ピッチで開け、また、凸周の内側を押さえる短尺バネ座金を形成してボルト通し孔を数ケ開け、後部圧力隔壁の下部にはＡＰＵ高圧空気ダクトを形成して取り付け、而して、後部圧力隔壁を変形Ｔ型フレームに、短尺バネ座金と丸バネ座金を介して高強度のボルトナットで取り付けるようにしたことを特徴とするジェット機の着脱自在圧力．隔壁。
【請求項２】
後部圧力隔壁内の帆布の代りに、バネ細線を布状に織るか網を形成して外面カバーゴムと内面ゴム間に貼り付けたことを特徴とする請求項１記載のジェット機の着脱自在圧力隔壁。
【請求項３】
後部圧力隔壁を小型化した前部圧力隔壁を機首に取り付けたことを特徴とする請求項１記載のジェット機の着脱自在圧力隔壁。
【請求項４】
後部、前部圧力隔壁は、産業用ベルトに準じて形成したことを特徴とする請求項１と３記載のジェット機の着脱自在圧力隔壁。
【発明の詳細な説明】
【技術分野】
【０００１】  本発明は、ジェット機の着脱自在圧力隔壁に関する。
【背景技術】
【０００２】  後部、前部の圧力隔壁は高空においても、機内の気圧を一定に保ち、塔乗者の居住環境を保持する重要構造であるが、数拾枚の三角形の板を中心で支えて、相互をリベットで球面状に組合せる複雑な構造のため、組立ては相当の手間がかかっている。【０００３】  しかし、このように精巧極めて製作していても、飛行中、水平、垂直尾翼の作動で機体後部は大きな負荷を受けるため、圧力隔壁は常に複雑な変形作用を受け、金属疲労を起こして破裂し、墜落する。
そのため、常に、入念な保守、点検を行ねればならない。【０００４】  したがって、保守点検が不十分であると、圧力隔壁が破裂し、その突風で水平、垂直尾翼を失い、迷走の末墜落する。
１９８５年８月１２日、後部圧力隔壁が破裂して、水平、垂直尾翼を失い、迷走して墜落した、群馬県上野村の事故が具体例である。【０００５】  前部圧力隔壁は、後部圧力隔壁のような変形作用を受けないが、一旦事故が発生すると、パイロット等のコントロール機能を瞬時に失い墜落するため、常に、万全な保守、点検が心要である。
【発明の概要】
【発明が解決しようとする課題】
【０００６】  飛行中、圧力隔壁が水平、垂直尾翼の作動で、複雑な変形作用を受けても、破裂せず、安全に飛行できるようにすることを目的とする。
【課題を解決するための手段】
【０００７】  そして、本発明の実施例１から図５の後部圧力隔壁は、外面カバーゴムを半球状に形成し、該外面カバーゴムの内面に、ナイロン、ポリエステル等の高張力の糸を織った１枚又は複数枚の帆布を貼り付け、該帆布の上から内面カバーゴムを貼り付け、前端の全周は、内側に向けて凸周を形成し、凸周の内側全周に、ボルト通し孔を同ピッチで開け、また、凸周の内側を押さえる短尺バネ座金を形成してボルト通し孔を数ケ開け、後部圧力隔壁の下部にはＡＰＵ高圧空気ダクトを形成して取り付け、而して、後部圧力隔壁を変形Ｔ型フレームに、短尺バネ座金と丸バネ座金を介して高強度のボルトナットで取り付けたものである。【０００８】  この時、ＡＰＵ高圧空気ダクトに通すＡＰＵ高圧空気管の重量が、後部圧力隔壁にかからないように、ＡＰＵ高圧空気管の前後を機体のフレームに固定したがよい。
また、後部圧力隔壁は、産業用ベルトに準じて製作してもよく、且、重要体であるだけに、難燃性、耐燃性の材料で製作したがよく、張力と柔軟性が要求される帆布は、よりよいものがあればこれを使用してもよい。【０００９】  実施例２の図６と図７は、後部圧力隔壁を小型化した前部圧力隔壁で、機首に、後部隔壁と同じように取り付けたものである。
【発明の効果】
【００１０】  本発明は、以上のように構成したので、水平、垂直尾翼の複雑な変形作用を受けても、後部圧力隔壁と前部圧力隔壁は、弾性に富んだ材料で形成し、該材料の許容応力に対して微々たるものであるので、何ら影響を受けず、安定して使用することができる。
したがって、永年にわたり破損、劣化せず、取り付けた、ジェット機の寿命がある限り、安定して使用することができる。【００１１】  また、本発明は、従来品に比し、構造きわめて簡単で着脱容易であると共に製作費も安価で、保守、点検も簡単にできるので総合的に判断して、ジェット機の製作費と運用コストを低減することができる。【００１２】  なお、本発明は、就役中のジェット機にも、従来の圧力隔壁を外して、取り付けられる等の諸効果を有するものである。
【図面の簡単な説明】
【００１３】
【図１】  本発明の後部圧力隔壁と前部圧力隔壁を装着したジェット機の正面図実施例１−後部圧力隔壁【図２】  図３の線Ａ−Ａの縦断正面図
【図３】  図２の左側面図．帆布を分りやすくするため、内面カバーゴムを一部切欠いて示した
【図４】  短尺バネ座金の正面図
【図５】  図４の平面図実施例２−前部圧力隔壁【図６】  図７の右側面図
【図７】  図６の線Ｂ−Ｂの縦断正面図
【発明を実施するための形態】
【００１４】  実施例１の図１から図５において、１は後部圧力隔壁で、外面カバーゴム２を半球状に形成し、該外面カバーゴム２の内面に、ナイロン、ポリエステル等の高張力の糸を織った帆布３を一枚又は複数枚貼っている。４は内面カバーゴムで帆布３の上に貼っている。
５は、後部圧力隔壁の前端内周を内側に向けて形成した凸周で、凸周５の内側全周にボルト通し孔６を同ピッチで開けている。
７は短尺バネ座金で非鉄バネ板で形成し、ボルト通し孔６を数ケ開けている。なお、短尺バネ座金７は真ちゅう板で形成してもよい。
８は後部圧力隔壁１の下部に貫通して取り付けたＡＰＵ高圧空気ダクトでゴムまたは軽金属管で形成し、ＡＰＵ高圧空気管を通してシールする。
而して、後部圧力隔壁１を変形Ｔ型フレーム９に、短尺バネ座金７と丸バネ座金を介して高強度のボルトナット１０で取り付けている。
【００１５】  また、帆布はナイロン、ポリエステル等の外に、バネ細線を布状に織るか網を形成してもよく、線材は錆びないステンレス線か非鉄金属製がよい。
なお、本発明は、ジェット機の寿命がある限り使用できるが、取り替える必要がある時は、柔軟に形成しているので、丸めて、後部乗降口から搬入して取え替えることができる。
【００１６】  実施例２の図６と図７は前部圧力隔壁で、後部圧力隔壁を小型化している。
【符号の説明】
【００１７】  １  後部圧力隔壁
２  外面カバーゴム
３  帆布
４  内面カバーゴム
５  凸周
６  ボルト通し孔
７  短尺バネ座金
８  ＡＰＵ高圧空気ダクト
９  変形Ｔ型フレーム
１０  ボルトナット
１１  前部圧力隔壁
【図１】
2017206222.tif 000003
【図２】
2017206222.tif 000004
【図３】
2017206222.tif 000005
【図４】
2017206222.tif 000006
【図５】
2017206222.tif 000007
【図６】
2017206222.tif 000008
【図７】
2017206222.tif 000009
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
外面カバーゴムを半球状に形成し、該外面カバーゴムの内面に、ナイロン、ポリエステル等の高張力の糸を織った１枚又は複数枚の帆布を貼り付け、該帆布の内面に内面カバーゴムを貼り付けた後部圧力隔壁を備えるジエット機の着脱自在圧力隔壁であって、後部圧力隔壁の前端の全周は、半径方向内側に向けて凸周を形成し、後部圧力隔壁の凸周の近傍全周に、ボルト通し孔を同ピッチで開け、また、後部圧力隔壁の凸周の近傍を押さえる短尺バネ座金を形成してボルト通し孔を数ケ開け、後部圧力隔壁の下部にはＡＰＵ高圧空気ダクトを形成して取り付け、而して、後部圧力隔壁を変形Ｔ型フレームに、短尺バネ座金と丸バネ座金を介して高強度のボルトナットで取り付けるようにしたことを特徴とするジエツト機の着脱自在圧力隔壁。
【請求項２】
外面カバーゴムを半球状に形成し、該外面カバーゴムの内面に、布状に織った又は網状に形成したバネ細線を貼り付け、布状に織った又は網状に形成したバネ細線の内面に内面カバーゴムを貼り付けた後部圧力隔壁を備えるジエット機の着脱自在圧力隔壁であって、後部圧力隔壁の前端の全周は、半径方向内側に向けて凸周を形成し、後部圧力隔壁の凸周の近傍全周に、ボルト通し孔を同ピッチで開け、また、凸周の後側を押さえる短尺バネ座金を形成してボルト通し孔を数ケ開け、後部圧力隔壁の下部にはＡＰＵ高圧空気ダクトを形成して取り付け、而して、後部圧力隔壁を変形Ｔ型フレームに、短尺バネ座金と丸バネ座金を介して高強度のボルトナットで取り付けるようにしたことを特徴とするジエット機の着脱自在圧力隔壁。
【請求項３】
外面カバーゴムを半球状に形成し、該外面カバーゴムの内側に、ナイロン、ポリエステル等の高張力の糸を織った１枚又は複数枚の帆布を貼り付け、該帆布の内面に内面カバーゴムを貼り付けた前部圧力隔壁を備えるジエット機の着脱自在圧力隔壁であって、前部圧力隔壁の後端の全周は、半径方向内側に向けて凸周を形成し、前部圧力隔壁の凸周の近傍全周に、ボルト通し孔を同ピッチで開け、また、前部圧力隔壁の凸周の近傍を押さえる短尺バネ座金を形成してボルト通し孔を数ケ開け、而して、前部圧力隔壁を変形Ｔ型フレームに、短尺バネ座金と丸バネ座金を介して高強度のボルトナットで取り付けるようにしたことを特徴とするジエット機の着脱自在圧力隔壁。